【手続補正書】
【提出日】平成16年2月19日(2004.2.19)
【手続補正１】
【補正対象書類名】明細書
【補正対象項目名】特許請求の範囲
【補正方法】変更
【補正の内容】
【特許請求の範囲】
【請求項１】
脱着可能に装着されデータを記録または再生するディスクと一体的に回転可能に設けられ、磁性を有する固体が収納された中空環状部を有するバランサーと、
前記磁性を有する固体を吸引保持するための磁界発生手段と、
を具備することを特徴とするディスク駆動装置。
【請求項２】
脱着可能に装着されデータを記録または再生するディスクと一体的に回転可能に設けられ、磁性体が収納された中空環状部を有するバランサーと、
前記バランサーと一体的に回転可能に設けられ、前記磁性体を吸引保持するための磁界発生手段と、
を具備することを特徴とするディスク駆動装置。
【請求項３】
脱着可能に装着されデータを記録または再生するディスクと一体的に回転可能に設けられ、磁性体が収納された中空環状部を有するバランサーと、
前記磁性体を吸引保持するための磁界発生手段と、
前記磁界発生手段の前記磁性体との対向面に設けられた衝撃を吸収するための部材と、を具備し
前記磁性体が前記衝撃を吸収するための部材に直接的に吸着可能なディスク駆動装置。
【請求項４】
脱着可能に装着されデータを記録または再生するディスクと一体的に回転可能に設けられ、磁性体が収納された中空環状部を有するバランサーと、
前記磁性体を吸引保持するための磁界発生手段と、
前記磁界発生手段の前記磁性体との対向面に固着された弾性体と、を具備し
前記磁性体が前記弾性体に直接的に吸着可能なディスク駆動装置。
【請求項５】
脱着可能に装着されデータを記録または再生するディスクと一体的に回転可能に設けられ、磁性体が収納された中空環状部を有するバランサーと、
前記磁性体を吸引保持するためのマグネットと、
前記マグネットに接触し、一部が前記磁性体の近傍に導出された磁性板により形成されたバックヨークと、
を具備するディスク駆動装置。
【請求項６】
磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記磁性体が前記マグネットとの間に作用する吸引力で保持されるディスク駆動装置。
【請求項７】
磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記マグネットの前記磁性体と対向する面に衝撃を吸収するための部材が設けられ、前記磁性体が前記衝撃を吸収するための部材に直接的に吸着可能なディスク駆動装置。
【請求項８】
磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記マグネットの前記磁性体と対向する面に弾性体が固着され、前記磁性体が前記弾性体に直接的に吸着可能なディスク駆動装置。
【請求項９】
マグネットにおける対向ヨークと対向する面の反対面に磁性板であるバックヨークを付設した請求項６、７または８記載のディスク駆動装置。
【請求項１０】
マグネットが固定され、脱着可能に装着されデータを記録または再生するディスクが載置され、前記ディスクを回転可能に支持するターンテーブルと、
前記マグネットとの間に作用する吸引力で前記ディスクを挟持するための対向ヨークを内蔵し、磁性体が収納された中空環状部を有するバランサーを一体的に形成されたクランパと、を具備し、
前記磁性体を前記マグネットとの間に作用する吸引力により保持するディスク駆動装置。
【請求項１１】
脱着可能に装着されデータを記録または再生するディスクと一体的に回転可能に設けられ、
磁性を有する固体が収納された中空環状部と、
前記磁性を有する固体を吸引保持するための磁界発生手段と、
を具備するディスク駆動装置用バランサー。
【請求項１２】
脱着可能に装着されデータを記録または再生するディスクと一体的に回転可能に設けられ、
磁性体が収納された中空環状部と、
前記磁性体を吸引保持するための磁界発生手段と、
前記磁界発生手段の前記磁性体と対向する面に設けられ、前記磁性体に直接的に吸着可能な衝撃を吸収するための部材と、
を具備することを特徴とするディスク駆動装置用バランサー。
【請求項１３】
脱着可能に装着されデータを記録または再生するディスクと一体的に回転可能に設けられ、
磁性体が収納された中空環状部と、
前記磁性体を吸引保持するための磁界発生手段と、
前記磁界発生手段の前記磁性体と対向する面に固着され、前記磁性体に直接的に吸着可能な弾性体と、
を具備することを特徴とするディスク駆動装置用バランサー。
【請求項１４】
脱着可能に装着されデータを記録または再生するディスクと一体的に回転可能に設けられ、
磁性体が収納された中空環状部と、
前記磁性体を吸引保持するためのマグネットと、
前記マグネットに接触し、一部が前記磁性体の近傍に導出された磁性板により形成されたバックヨークと、
を具備するディスク駆動装置用バランサー。
【請求項１５】
ターンテーブル上に脱着可能に載置されたデータを記録または再生するディスクと一体的に回転するディスクを回転可能に挟持し、磁性を有する固体が収納された中空環状部を有するバランサーと、
前記磁性を有する固体を吸引保持するための磁界発生手段と、
を具備するディスク駆動装置用クランパ。
【請求項１６】
磁性を有する固体が収納された中空環状部を有するバランサーと、
前記磁性を有する固体を吸引保持するための磁界発生手段と、を具備し、
データを記録または再生するディスクが脱着可能に載置され、前記ディスクを回転可能に支持するディスク駆動装置用ターンテーブル。
【手続補正２】
【補正対象書類名】明細書
【補正対象項目名】００１０
【補正方法】変更
【補正の内容】
【００１０】
本発明に係るディスク駆動装置は、脱着可能に装着されデータを記録または再生するディスクと一体的に回転可能に設けられ、磁性を有する固体が収納された中空環状部を有するバランサーと、
前記磁性を有する固体を吸引保持するための磁界発生手段と、を具備する。
このため、本発明のディスク駆動装置はバランサー自身からの騒音発生を抑制することができる。
本発明に係るディスク駆動装置は、脱着可能に装着されデータを記録または再生するディスクと一体的に回転可能に設けられ、磁性体が収納された中空環状部を有するバランサーと、
前記バランサーと一体的に回転可能に設けられ、前記磁性体を吸引保持するための磁界発生手段と、を具備する。
このため、本発明のディスク駆動装置はバランサー自身からの騒音発生を抑制することができる。


【手続補正３】
【補正対象書類名】明細書
【補正対象項目名】００１１
【補正方法】変更
【補正の内容】
【００１１】
本発明に係るディスク駆動装置は、脱着可能に装着されデータを記録または再生するディスクと一体的に回転可能に設けられ、磁性体が収納された中空環状部を有するバランサーと、
前記磁性体を吸引保持するための磁界発生手段と、
前記磁界発生手段の前記磁性体との対向面に設けられた衝撃を吸収するための部材と、を具備し
前記磁性体が前記衝撃を吸収するための部材に直接的に吸着可能に構成されている。
また、本発明に係るディスク駆動装置は、脱着可能に装着されデータを記録または再生するディスクと一体的に回転可能に設けられ、磁性体が収納された中空環状部を有するバランサーと、
前記磁性体を吸引保持するための磁界発生手段と、
前記磁界発生手段の前記磁性体との対向面に固着された弾性体と、を具備し
前記磁性体が前記弾性体に直接的に吸着可能に構成されている。
このため、本発明のディスク駆動装置はバランサー自身からの騒音発生を抑制することができる。
本発明に係るディスク駆動装置は、脱着可能に装着されデータを記録または再生するディスクと一体的に回転可能に設けられ、磁性体が収納された中空環状部を有するバランサーと、
前記磁性体を吸引保持するためのマグネットと、
前記マグネットに接触し、一部が前記磁性体の近傍に導出された磁性板により形成されたバックヨークと、を具備する。
このため、本発明のディスク駆動装置はバランサー自身からの騒音発生を抑制することができる。


【手続補正４】
【補正対象書類名】明細書
【補正対象項目名】００１２
【補正方法】変更
【補正の内容】
【００１２】
本発明に係るディスク駆動装置は、磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記磁性体が前記マグネットとの間に作用する吸引力で保持されるよう構成されている。
このため、本発明のディスク駆動装置はバランサー自身からの騒音発生を抑制することができる。
本発明に係るディスク駆動装置は、磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記マグネットの前記磁性体と対向する面に衝撃を吸収するための部材が設けられ、前記磁性体が前記衝撃を吸収するための部材に直接的に吸着可能に構成されている。
また、本発明に係るディスク駆動装置は、磁性板である対向ヨークが固定され、脱着可能に装着されデータを記録または再生するディスクが載置され、前記ディスクを回転可能に支持するターンテーブルと、
前記対向ヨークとの間に作用する吸引力で前記ディスクを挟持するためのマグネットを内蔵し、磁性体が収納された中空環状部を有するバランサーが一体的に形成されたクランパと、を具備し、
前記マグネットの前記磁性体と対向する面に弾性体が固着され、前記磁性体が前記弾性体に直接的に吸着可能に構成されている。
また、本発明に係るディスク駆動装置は、マグネットにおける対向ヨークと対向する面の反対面に磁性板であるバックヨークを付設している。
このため、本発明のディスク駆動装置はバランサー自身からの騒音発生を抑制することができる。


【手続補正５】
【補正対象書類名】明細書
【補正対象項目名】００１３
【補正方法】変更
【補正の内容】
【００１３】
本発明に係るディスク駆動装置は、マグネットが固定され、脱着可能に装着されデータを記録または再生するディスクが載置され、前記ディスクを回転可能に支持するターンテーブルと、
前記マグネットとの間に作用する吸引力で前記ディスクを挟持するための対向ヨークを内蔵し、磁性体が収納された中空環状部を有するバランサーを一体的に形成されたクランパと、を具備し、
前記磁性体を前記マグネットとの間に作用する吸引力により保持するよう構成されている。
このため、本発明のディスク駆動装置によれば、装着されたアンバランスなディスクによる振動を確実に抑制することができると共に、部品点数を最小限に抑えながらもバランサー自身からの騒音発生を抑制することができる。


【手続補正６】
【補正対象書類名】明細書
【補正対象項目名】００１４
【補正方法】変更
【補正の内容】
【００１４】
本発明に係るディスク駆動装置用バランサーは、脱着可能に装着されデータを記録または再生するディスクと一体的に回転可能に設けられ、
磁性を有する固体が収納された中空環状部と、
前記磁性を有する固体を吸引保持するための磁界発生手段と、を具備する。
このため、本発明のディスク駆動装置用バランサーは、バランサー自身からの騒音発生を抑制することができる。


【手続補正７】
【補正対象書類名】明細書
【補正対象項目名】００１５
【補正方法】変更
【補正の内容】
【００１５】
本発明に係るディスク駆動装置用バランサーは、脱着可能に装着されデータを記録または再生するディスクと一体的に回転可能に設けられ、
磁性体が収納された中空環状部と、
前記磁性体を吸引保持するための磁界発生手段と、
前記磁界発生手段の前記磁性体と対向する面に設けられ、前記磁性体に直接的に吸着可能な衝撃を吸収するための部材と、を具備する。
また、本発明に係るディスク駆動装置用バランサーは、脱着可能に装着されデータを記録または再生するディスクと一体的に回転可能に設けられ、
磁性体が収納された中空環状部と、
前記磁性体を吸引保持するための磁界発生手段と、
前記磁界発生手段の前記磁性体と対向する面に固着され、前記磁性体に直接的に吸着可能な弾性体と、を具備する。
このため、本発明のディスク駆動装置用バランサーは、バランサー自身からの騒音発生を抑制することができる。


【手続補正８】
【補正対象書類名】明細書
【補正対象項目名】００１６
【補正方法】変更
【補正の内容】
【００１６】
本発明に係るディスク駆動装置用バランサーは、脱着可能に装着されデータを記録または再生するディスクと一体的に回転可能に設けられ、
磁性体が収納された中空環状部と、
前記磁性体を吸引保持するためのマグネットと、
前記マグネットに接触し、一部が前記磁性体の近傍に導出された磁性板により形成されたバックヨークと、を具備する。
このため、本発明のディスク駆動装置用バランサーは、バランサー自身からの騒音発生を抑制することができる。


【手続補正９】
【補正対象書類名】明細書
【補正対象項目名】００１７
【補正方法】変更
【補正の内容】
【００１７】
本発明に係るディスク駆動装置用クランパは、ターンテーブル上に脱着可能に載置されたデータを記録または再生するディスクと一体的に回転するディスクを回転可能に挟持し、磁性を有する固体が収納された中空環状部を有するバランサーと、
前記磁性を有する固体を吸引保持するための磁界発生手段と、を具備する。
このため、本発明のディスク駆動装置用クランパによれば、このクランパを組み込んだディスク駆動装置に装着されたアンバランスなディスクによる振動を抑制することができるとともに、バランサー自身からの騒音発生を抑制することができる。


【手続補正１０】
【補正対象書類名】明細書
【補正対象項目名】００１８
【補正方法】変更
【補正の内容】
【００１８】
本発明に係るディスク駆動装置用ターンテーブルは、磁性を有する固体が収納された中空環状部を有するバランサーと、
前記磁性を有する固体を吸引保持するための磁界発生手段と、を具備し、
データを記録または再生するディスクが脱着可能に載置され、前記ディスクを回転可能に支持するよう構成されている。
このため、本発明のディスク駆動装置用ターンテーブルによれば、このターンテーブルを組み込んだディスク駆動装置に装着されたアンバランスなディスクによる振動を抑制することができるとともにバランサー自身からの騒音発生を抑制することができる。